(57)【要約】  移動通信システムでは、マクロセル基地局（ｅＮＢ）から小セル基地局（ＨｅＮＢ）への端末装置（ＭＴ）のハンドオーバ制御が上位装置（ＭＭＥやＨｅＮＢ−ＧＷ）を介して行われる。上位装置（ＭＭＥやＨｅＮＢ−ＧＷ）では、アクセス許可されたＣＳＧルの物理セルＩＤと固有セルＩＤとの対応関係を示す情報（ＰＣＩ／ＣＧＩマップ情報）を少なくとも含んだ物理セルＩＤ配置マップ情報（ＰＣＩ配置マップ情報）が生成される。端末装置は、周辺のＣＳＧセルへのハンドオーバ制御のためにＣＳＧセルでの受信品質を測定するときに、このＰＣＩ配置マップ情報を用いて測定結果報告を作成する。これにより、アクセス不可能な小セルへのハンドオーバ制御が行われてサービスが中断してしまうのを抑制することができ、また、ハンドオーバ制御のための待ち時間を短縮することが可能になる。
2011004599.tif 000002
【特許請求の範囲】
【請求項１】
マクロセル基地局から小セル基地局への端末装置のハンドオーバ制御が上位装置を介して行われる移動通信システムであって、
前記上位装置は、
前記端末装置がキャンプオンしている前記マクロセル基地局または前記小セル基地局から、前記端末装置の周辺に存在する小セルの識別情報を含むセル位置情報を受信するセル位置情報受信手段と、
受信した前記セル位置情報に基づいて、前記端末装置の周辺に存在する小セルであって前記端末装置がアクセス許可された小セルを、前記小セルの識別情報を用いて特定する小セル特定手段と、
特定した前記小セルの小セル基地局から、前記特定した小セルの物理セルＩＤと前記特定した小セルの周辺に存在する小セルの物理セルＩＤを含むローカルマップ情報を取得するローカルマップ情報取得手段と、
取得した前記ローカルマップ情報に基づいて、前記アクセス許可された小セルの物理セルＩＤと固有セルＩＤとの対応関係を示す情報を少なくとも含む物理セルＩＤ配置マップ情報を生成する配置マップ情報生成手段と、
を備え、
前記端末装置は、
前記上位装置で生成された前記物理セルＩＤ配置マップ情報を、前記上位装置から受信する配置マップ情報受信手段と、
前記端末装置の周辺の小セルへのハンドオーバ制御のために前記小セルでの受信品質を測定する要求を前記上位装置を介して受信したときに、前記物理セルＩＤ配置マップ情報を用いて、前記受信品質の測定結果報告を作成する測定結果報告作成手段と、
を備えたことを特徴とする移動通信システム。
【請求項２】
前記配置マップ情報生成手段は、前記小セルの識別情報を用いて特定された前記小セルであって前記端末装置がアクセス許可されていない前記小セルの周辺に存在する小セルの物理セルＩＤの情報をさらに含む前記物理セルＩＤ配置マップ情報を生成するものであり、
前記端末装置は、前記マクロセル内に同一の識別情報を有する複数の前記小セルが配置されている場合に、前記物理セルＩＤ配置マップ情報に基づいて、前記小セルの識別情報を用いて特定された前記小セルがアクセス許可されているか否かを判定する判定手段を備えた、請求項１に記載の移動通信システム。
【請求項３】
マクロセル基地局から小セル基地局へのハンドオーバ制御が上位装置を介して行われる端末装置であって、
前記上位装置では、前記端末装置の周辺に存在する小セルの識別情報を含むセル位置情報に基づいて、前記端末装置の周辺に存在する小セルであって前記端末装置がアクセス許可された小セルが、前記小セルの識別情報を用いて特定され、前記特定した小セルの物理セルＩＤと前記特定した小セルの周辺に存在する小セルの物理セルＩＤを含むローカルマップ情報に基づいて、前記アクセス許可された小セルの物理セルＩＤと固有セルＩＤとの対応関係を示す情報を少なくとも含む物理セルＩＤ配置マップ情報が生成され、
前記端末装置は、
前記上位装置で生成された前記物理セルＩＤ配置マップ情報を、前記上位装置から受信する配置マップ情報受信手段と、
前記端末装置の周辺の小セルへのハンドオーバ制御のために前記小セルでの受信品質を測定する要求を前記上位装置を介して受信したときに、前記物理セルＩＤ配置マップ情報を用いて、前記受信品質の測定結果報告を作成する測定結果報告作成手段と、
を備えたことを特徴とする端末装置。
【請求項４】
前記上位装置では、前記小セルの識別情報を用いて特定された前記小セルであって前記端末装置がアクセス許可されていない前記小セルの周辺に存在する小セルの物理セルＩＤの情報をさらに含む前記物理セルＩＤ配置マップ情報が生成され、
前記端末装置は、
前記マクロセル内に同一の識別情報を有する複数の前記小セルが配置されている場合に、前記物理セルＩＤ配置マップ情報に基づいて、前記小セルの識別情報を用いて特定された前記小セルがアクセス許可されているか否かを判定する判定手段を備えた、請求項３に記載の端末装置。
【請求項５】
前記判定手段によって、前記小セルの識別情報を用いて特定された前記小セルがアクセス許可されていないと判定されたときに、前記判定された小セルについてのエラー報告を前記上位装置に送信するエラー報告手段を備えた、請求項４に記載の端末装置。
【請求項６】
前記判定手段によって、前記小セルの識別情報を用いて特定された前記小セルがアクセス許可されていないと判定されたときに、前記判定された小セルの周囲に存在する小セルであって前記物理セルＩＤ配置マップ情報に含まれる前記小セルについて、前記測定結果報告を前記上位装置に送信するときの優先度を上げるように制御する報告優先度制御手段を備えた、請求項４に記載の端末装置。
【請求項７】
以前にアクセスした前記小セルの物理セルＩＤの情報を含むフィンガープリント情報を、前記判定手段の判定結果に基づいて検証するフィンガープリント検証手段を備えた、請求項４に記載の端末装置。
【請求項８】
前記判定手段によって、前記小セルの識別情報を用いて特定された前記小セルがアクセス許可されていないと判定されたときに、前記判定された小セルの受信品質の測定頻度を下げるように制御する測定頻度制御手段を備えた、請求項４に記載の端末装置。
【請求項９】
前記上位装置から受信した前記物理セルＩＤ配置マップ情報を記憶する配置マップ情報記憶手段を備えた、請求項３に記載の端末装置。
【請求項１０】
マクロセル基地局から小セル基地局への端末装置のハンドオーバ制御が上位装置を介して行われる移動通信システムを構成するマクロセル基地局用の基地局装置であって、
前記上位装置では、前記端末装置の周辺に存在する小セルの識別情報を含むセル位置情報に基づいて、前記端末装置の周辺に存在する小セルであって前記端末装置がアクセス許可された小セルが、前記小セルの識別情報を用いて特定され、前記特定した小セルの物理セルＩＤと前記特定した小セルの周辺に存在する小セルの物理セルＩＤを含むローカルマップ情報に基づいて、前記アクセス許可された小セルの物理セルＩＤと固有セルＩＤとの対応関係を示す情報と前記小セルの識別情報を用いて特定された前記小セルであって前記端末装置がアクセス許可されていない前記小セルの周辺に存在する小セルの物理セルＩＤの情報とを含む物理セルＩＤ配置マップ情報が生成され、
前記端末装置では、前記端末装置の周辺の小セルへのハンドオーバ制御のために前記小セルでの受信品質の測定が行われ、前記受信品質の測定結果報告が前記マクロセル基地局へ送信され、
前記基地局装置は、
前記上位装置で生成された前記物理セルＩＤ配置マップ情報を、前記上位装置から受信する配置マップ情報受信手段と、
前記マクロセル内に同一の識別情報を有する複数の前記小セルが配置されている場合に、前記物理セルＩＤ配置マップ情報に基づいて、前記端末装置から受信した前記測定結果報告に含まれる前記小セルがアクセス許可されているか否かを判定する判定手段と、
を備えたことを特徴とする基地局装置。
【請求項１１】
マクロセル内の小セル基地局から小セル基地局への端末装置のハンドオーバ制御が上位装置を介して行われる移動通信システムを構成する小セル基地局用の基地局装置であって、
前記上位装置では、前記端末装置の周辺に存在する小セルの識別情報を含むセル位置情報に基づいて、前記端末装置の周辺に存在する小セルであって前記端末装置がアクセス許可された小セルが、前記小セルの識別情報を用いて特定され、前記特定した小セルの物理セルＩＤと前記特定した小セルの周辺に存在する小セルの物理セルＩＤを含むローカルマップ情報に基づいて、前記アクセス許可された小セルの物理セルＩＤと固有セルＩＤとの対応関係を示す情報と前記小セルの識別情報を用いて特定された前記小セルであって前記端末装置がアクセス許可されていない前記小セルの周辺に存在する小セルの物理セルＩＤの情報とを含む物理セルＩＤ配置マップ情報が生成され、
前記端末装置では、前記端末装置の周辺の小セルへのハンドオーバ制御のために前記小セルでの受信品質の測定が行われ、前記受信品質の測定結果報告が前記端末装置がキャンプオンしている小セル基地局へ送信され、
前記基地局装置は、
前記上位装置で生成された前記物理セルＩＤ配置マップ情報を、前記上位装置から受信する配置マップ情報受信手段と、
前記マクロセル内に同一の識別情報を有する複数の前記小セルが配置されている場合に、前記物理セルＩＤ配置マップ情報に基づいて、前記端末装置から受信した前記測定結果報告に含まれる前記小セルがアクセス許可されているか否かを判定する判定手段と、
を備えたことを特徴とする基地局装置。
【発明の詳細な説明】
【技術分野】
【０００１】
本発明は、マクロセル基地局から小セル基地局への端末装置のハンドオーバ制御が上位装置を介して行われる移動通信システムに関するものである。
【背景技術】
【０００２】
移動通信システム（例えば、３ＧＰＰ  ＬＴＥ（Long-Term  Evolution）では、移動端末（ＭＴ）は、１つのセルから別のセルへのハンドオーバに対応する必要がある。このハンドオーバには、マクロセル間のハンドオーバ、ＣＳＧセル間のハンドオーバ、マクロセルとＣＳＧセルの間のハンドオーバ等が含まれる。マクロセルからＣＳＧセルへのハンドオーバでは、基地局（ｅＮＢ）とホーム基地局（ＨｅＮＢ）とが互いに直接接続することはなく、コアネットワーク（移動管理エンティティ（ＭＭＥ）ともいう）を介したハンドオーバ（Ｓ１ハンドオーバ）のみが可能である。現在のネットワーク構成では、マクロセルからＣＳＧセルへのハンドオーバ（インバウンドハンドオーバともいう）のアクセス制御は、この移動管理エンティティ（ＭＭＥ）によって行われる。【０００３】
マクロセル間のハンドオーバが行われるときには、ハンドオーバ先のセルの物理セルＩＤ（ＰＣＩ）を含んだ報告（受信品質の測定結果報告）が移動端末からネットワークへ送信され、ネットワークでは、この報告に基づいてハンドオーバ処理が行われる（ＰＣＩに基づいてハンドオーバ先のセルが特定される）。しかし、ＣＳＧセルの基地局は家庭や店などに設置されるため、マクロセルに比べて設置数が多いことが想定される。したがって、隣接するＣＳＧセル間でＰＣＩが重複することも考えられる。そのような場合には、移動端末からネットワークへ報告（ＰＣＩしか含まない報告）を一度行うだけでは、ＭＭＥがアクセス制御を実行するには不十分であり、したがって、ＣＳＧセルを一意に特定することができる固有セルＩＤ（ＣＧＩ）などを含んだ第２の測定結果報告が必要になり、その場合には、ハンドオーバ制御のための待ち時間が長くなる。【０００４】
移動端末が第２の測定結果報告を作成しなくても済むようにする方法としては、フィンガープリント情報を利用する方法が考えられるが、その場合、移動端末は、以前にキャンプオンしたセルの情報（つまり、アクセス許可されたセルの位置情報（ＧＰＳ情報）や識別情報（ＣＧＩやＰＣＩなど）を含んだ情報）を、移動端末の履歴情報（フィンガープリント情報）として記憶しなければならない。この履歴情報を用いれば、移動端末は、ハンドオーバ先の候補として検出されたセルがアクセス許可されたセルであるかどうかを判別することができ、アクセス許可されていると判定された場合には、第１の測定結果報告（通常はＰＣＩしか含まない報告）にＰＣＩに対応するＣＧＩの情報を含めて、ｅＮＢに送信することができるようになる。これにより、ｅＮＢは、移動端末からの第２の測定結果報告をもらわなくても、ハンドオーバ先のセルの特定を行うことができるようになる。【０００５】
しかしながら、上記のフィンガープリント情報を利用する方法には、いくつかの制限がある。例えば、移動端末は必ずしも正確な履歴情報を利用できるとは限らず、例えば、履歴情報が古くなってしまうこともある。また、移動端末は常に位置情報を利用できるわけではなく、例えば、ＧＰＳ情報は、室内または地下で使用する場合には特に不正確になる。以上のような制限を考慮すると、フィンガープリント情報を利用する方法では、不正確なセル位置情報のために、移動端末が誤ったセル判定をするおそれがある。そして、誤ったセル判定に基づいてハンドオーバ制御が行われると（例えば、実際にはアクセス許可されていないセルへのハンドオーバ制御が誤って行われると）、ハンドオーバ処理が失敗し、その結果、移動端末が受けていたサービスが中断してしまうことがある。【０００６】
このような問題を解決するために、フィンガープリント情報を利用する方法に改良を加えることも考えられる。例えば、移動通信がより正確な位置情報を使用することができるように改良を加えることも考えられるが、上述のように、端末装置は位置情報を常に利用できるとは限らない。【０００７】
また、その他の技術を使用することも考えられる。例えば、移動端末に、第１の測定結果報告で常にＣＧＩの情報を報告させてもよい。しかし、ＣＧＩを取得するためには（ＰＣＩに比べて）長い時間がかかるため、この場合、第１の報告を送信するのに遅延が生じてしまう。また、移動端末は、ハンドオーバ先のセル（ターゲットセルともいう）のＣＧＩを知るために、そのセルの報知情報（ＳＩＢ１）にアクセスする必要があり、そのために、移動端末が測定結果報告を伝送するための遅延時間が増加してしまう。
【先行技術文献】
【非特許文献】
【０００８】
【非特許文献１】３ＧＰＰ  ＴＳ２３．４０１  ＳＡＥ
【非特許文献２】３ＧＰＰ  ＴＳ３６．３３１  ＲＲＣプロトコル
【非特許文献３】３ＧＰＰ  ＴＳ３６．３０４  ＩＤＬＥモード
【非特許文献４】３ＧＰＰ  ＴＳ２４．３０１  ＮＡＳ
【発明の概要】
【発明が解決しようとする課題】
【０００９】
本発明は、上記背景の下でなされたものである。本発明の目的は、サービスの中断が発生するのを抑えることができ、ハンドオーバ制御のための待ち時間を短縮することのできる移動通信システムを提供することにある。
【課題を解決するための手段】
【００１０】
本発明の一の態様は、移動通信システムであり、この移動通信システムは、マクロセル基地局から小セル基地局への端末装置のハンドオーバ制御が上位装置を介して行われる移動通信システムであって、上位装置は、端末装置がキャンプオンしているマクロセル基地局または小セル基地局から、端末装置の周辺に存在する小セルの識別情報を含むセル位置情報を受信するセル位置情報受信手段と、受信したセル位置情報に基づいて、端末装置の周辺に存在する小セルであって端末装置がアクセス許可された小セルを、小セルの識別情報を用いて特定する小セル特定手段と、特定した小セルの小セル基地局から、特定した小セルの物理セルＩＤと特定した小セルの周辺に存在する小セルの物理セルＩＤを含むローカルマップ情報を取得するローカルマップ情報取得手段と、取得したローカルマップ情報に基づいて、アクセス許可された小セルの物理セルＩＤと固有セルＩＤとの対応関係を示す情報を少なくとも含む物理セルＩＤ配置マップ情報を生成する配置マップ情報生成手段と、を備え、端末装置は、上位装置で生成された物理セルＩＤ配置マップ情報を、上位装置から受信する配置マップ情報受信手段と、端末装置の周辺の小セルへのハンドオーバ制御のために小セルでの受信品質を測定する要求を上位装置を介して受信したときに、物理セルＩＤ配置マップ情報を用いて、受信品質の測定結果報告を作成する測定結果報告作成手段と、を備えた構成を有している。【００１１】
本発明では、物理セルＩＤと固有セルＩＤとの対応関係を示す情報を少なくとも含む物理セルＩＤ配置マップ情報を用いて測定結果報告が作成されるため、マクロセル内に同一の物理セルＩＤを有する小セルが複数存在する場合であっても、アクセス可能な小セルを固有セルＩＤによって特定することができる。したがって、アクセス不可能な小セルへのハンドオーバ制御が行われて、ハンドオーバが失敗することによってサービスが中断してしまうのを抑制することができる。また、従来必要とされていた第２の測定結果報告が不要となり、ハンドオーバ制御のための待ち時間を短縮することが可能になる。【００１２】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１３】
【図１】図１は、本発明の第１の実施の形態における移動通信システムの構成の説明図
【図２】図２は、第１の実施の形態におけるＭＭＥの構成を示すブロック図
【図３】図３は、第１の実施の形態における移動端末の構成を示すブロック図
【図４】図４は、第１の実施の形態におけるｅＮＢの構成を示すブロック図
【図５】図５は、第１の実施の形態におけるＨｅＮＢの構成を示すブロック図
【図６】図６は、第１の実施の形態におけるシステム全体の動作を示すシーケンス図
【図７】図７は、第１の実施の形態におけるＭＭＥの動作を示すフロー図
【図８】図８は、第１の実施の形態における移動端末の動作を示すフロー図
【図９】図９は、本発明の第２の実施の形態における移動通信システムの構成の説明図
【図１０】図１０は、第２の実施の形態におけるＭＭＥの構成を示すブロック図
【図１１】図１１は、第２の実施の形態における移動端末の構成を示すブロック図
【図１２】図１２は、第２の実施の形態におけるシステム全体の動作を示すシーケンス図
【図１３】図１３は、第２の実施の形態におけるＭＭＥの動作を示すフロー図
【図１４】図１４は、第２の実施の形態における移動端末の動作を示すフロー図
【発明を実施するための形態】
【００１４】
以下に本発明の詳細な説明を述べる。ただし、以下の詳細な説明と添付の図面は発明を限定するものではない。
【００１５】
以下、本発明の実施の形態の移動通信システムについて、図面を用いて説明する。本実施の形態では、インバウンドハンドオーバを制御するシステム等として用いられる移動通信システムの場合を例示する。
【００１６】
（第１の実施の形態）
本発明の第１の実施の形態の移動通信システムの構成を、図面を参照して説明する。図１は、本実施の形態の移動通信システムの構成を概略的に示した説明図である。図１に示すように、移動通信システムは、ホーム基地局（ＨｅＮＢ）によって形成されるいくつかのＣＳＧセルを含んでいる。あるホーム基地局（ＨｅＮＢ）は、移動管理エンティティ（ＭＭＥ）に直接的に接続しており、また、他のホーム基地局（ＨｅＮＢ）は、ゲートウェイ（ＨｅＮＢ−ＧＷ）を介して、移動管理エンティティ（ＭＭＥ）に間接的に接続している。これらのＣＳＧセルは、マクロセルの基地局（ｅＮＢ）の通信エリア内に配置される。このマクロセルの基地局（ｅＮＢ）も、インターフェースを介してＭＭＥに接続される。
【００１７】
ここでは、ｅＮＢが本発明のマクロセル基地局に相当する。また、ＨｅＮＢが本発明の小セル基地局に相当し、ＣＳＧセルが、本発明の小セルに相当する。さらに、ＭＭＥやＨｅＮＢ−ＧＷが、本発明の上位装置に相当する。なお、すべてのホーム基地局（ＨｅＮＢ）が、ゲートウェイ（ＨｅＮＢ−ＧＷ）を介さずに、移動管理エンティティ（ＭＭＥ）に直接的に接続してよいことは言うまでもない。
【００１８】
図１の例では、端末装置（移動端末ともいう）は、まずｅＮＢと通信しており、ｅＮＢは、インターフェースを用いて移動端末にオペレータのサービスを提供している。その後、移動端末は、受信品質の高いＣＳＧセルを見つけると、そのＣＳＧセルへハンドオーバするように制御される。ＣＳＧセルへのハンドオーバ後は、ＨｅＮＢが、インターフェースを用いて移動端末にサービスを提供する。なお、コントロールプレーンでは、ｅＮＢは、オペレータコアネットワーク制御エンティティ（すなわちＭＭＥ）に接続している。このＭＭＥは、移動端末のアクセス制御を管理する役割を担当しており、すなわち、ＭＭＥは、移動端末がどのホーム基地局へのアクセスを許可されているかを判定する機能を有している。
【００１９】
次に、図面を参照して、本実施の形態の移動通信システムの各部の構成を説明する。図２は、本実施の形態のＭＭＥの構成を示すブロック図である。図２に示すように、ＭＭＥ１は、移動管理部２と、ＨｅＮＢ管理部３と、ＣＳＧリスト管理部４と、ローカルＰＣＩ管理部５と、ＰＣＩ配置マッピング部６とを備えている。
【００２０】
移動管理部２は、移動端末とＭＭＥ１との間のすべての移動管理に関する信号通信を処理する機能を有している。また、ＨｅＮＢ管理部３は、ＨｅＮＢのＩＤ（例えば、ＣＳＧ  ＩＤ、ＣＧＩ、ＨｅＮＢ  ＩＤなど）のリストを統合する機能を有している。また、ＣＳＧリスト管理部４は、ＣＳＧセルのアクセス制御を担当している。
【００２１】
例えば、移動端末からマクロセルを介してＮＡＳ手続きが開始されたときに、移動管理部２は、インターフェースを用いてＣＳＧリスト管理部４に対して、移動端末の許可されたＣＳＧリストが空であるかどうかを確認する（対応する加入者プロフィルに基づいて、移動端末がこのＣＳＧセルへのアクセスを許可されているかどうかを、ＣＳＧリスト管理部４に問い合わせる）。許可されたＣＳＧリストが空でない場合には、ＣＳＧリスト管理部４は、インターフェースを介してＨｅＮＢ管理部３にコンタクトして、ＨｅＮＢのＩＤ（すなわちＣＳＧ  ＩＤ、ＣＧＩ、ＨｅＮＢ  ＩＤ）のリストをコンパイルし（選択されたＨｅＮＢのＩＤの絞り込みを行って）、ＭＭＥ１に応答する。さらに、ＨｅＮＢ管理部３は、選択されたＨｅＮＢのＩＤのリストを、インターフェースを用いてローカルＰＣＩ管理部５やＰＣＩ配置マッピング部６に提供する。
【００２２】
ローカルＰＣＩ管理部５は、選択された各ＨｅＮＢのローカルＰＣＩマップ情報のリストをコンパイルする機能を有している。例えば、移動端末からのＮＡＳ手続きによってＰＣＩ配置マップ情報（ＰＤＭ情報ともいう）の作成手続きがトリガされたときには、ＭＭＥ１は、（ローカルＰＣＩマップ情報が利用可能である場合には）記憶したローカルＰＣＩマップ情報に基づいて、選択されたＨｅＮＢのローカルＰＣＩマップをコンパイルする。そうでない場合には（利用可能でない場合には）、ＭＭＥ１は、選択されたＨｅＮＢにコンタクトして、ローカルＰＣＩマップ情報を取得する。選択されたＨｅＮＢのローカルＰＣＩマップ情報（選択されたＨｅＮＢは移動端末に許可されたＣＳＧセルである）を取得したら、ＭＭＥ１は、このローカルＰＣＩマップ情報を、インターフェースを用いてＰＣＩ配置マッピング部６に提供する。
【００２３】
ＰＣＩ配置マッピング部６は、ｅＮＢと移動端末の使用するＰＤＭ情報を生成する機能を有している。例えば、ＭＭＥ１は、選択されたＨｅＮＢのＩＤとローカルマップ情報を取得すると、選択したＨｅＮＢのＰＣＩをＣＧＩにマッピングして、ＰＣＩ／ＣＧＩ情報を生成する。ＰＣＩ配置マッピング部６は、このＰＤＭ情報を、インターフェースを介して移動管理部２に渡す。次いで、移動管理部２は、このＰＤＭ情報をｅＮＢに転送する。
【００２４】
この場合、ＨｅＮＢ管理部３が、移動端末がキャンプオンしているｅＮＢ（またはＨｅＮＢ）から、移動端末の周辺に存在するＣＳＧセルのＩＤ情報を含むセル位置情報を受信する。したがって、ＨｅＮＢ管理部３が、本発明のセル位置情報受信手段に相当する。また、ＣＳＧリスト管理部４が、受信したセル位置情報に基づいて、移動端末の周辺に存在するＣＳＧセルであって移動端末がアクセス許可されたＣＳＧセルを、ＣＳＧセルのＩＤ情報を用いて特定する。したがって、ＣＳＧリスト管理部４が、本発明の小セル特定手段に相当する。
【００２５】
また、この場合、ローカルＰＣＩ管理部５が、特定したＣＳＧセルのＨｅＮＢから、特定したＣＳＧセルのＰＣＩと特定したＣＳＧセルの周辺に存在するＣＳＧセルのＰＣＩを含むローカルマップ情報を取得する。したがって、ローカルＰＣＩ管理部５が、本発明のローカルマップ情報取得手段に相当する。また、ＰＣＩ配置マッピング部６が、取得したローカルマップ情報に基づいて、アクセス許可されたＣＳＧセルの物理セルＩＤと固有セルＩＤとの対応関係を示す情報（ＰＣＩ／ＣＧＩマップ情報）を少なくとも含むＰＣＩ配置マップ情報を生成する。したがって、ＰＣＩ配置マッピング部６が、本発明の配置マップ情報生成手段に相当する。
【００２６】
図３は、本実施の形態の移動端末の構成の一例を示すブロック図である。図３に示すように、移動端末１０は、ＰＤＭ制御部１１と、測定制御部１２と、報告制御部１３を備えている。
【００２７】
ＰＤＭ制御部１１は、ＰＣＩ／ＣＧＩマッピング情報を含んだＰＤＭ情報を記憶するＰＤＭ情報記憶部１４を備えている。例えば、ｅＮＢが、ＲＲＣ接続再設定メッセージを介して、移動端末１０にＰＤＭ情報を送ってきたときには、ＰＤＭ制御部１１は、このＰＤＭ情報を、ＰＤＭ情報記憶部１４に記憶する処理を行う。記憶されたＰＤＭ情報は、サービスしているセルおよび近傍のセルの無線状態の監視を開始するように移動端末１０がトリガされると、インターフェースを介して測定制御部１２に提供される。この場合、ＰＤＭ制御部１１が、ＭＭＥ１で生成されたＰＤＭ情報を受信する。したがって、ＰＤＭ制御部１１が、本発明の配置マップ情報受信手段に相当する。また、ＰＤＭ情報記憶部１４が、本発明の配置マップ情報記憶手段に相当する。
【００２８】
測定制御部１２は、ＰＤＭ情報に基づいて、移動端末１０の受信品質測定プロセスを実行する機能を有している。測定制御部１２は、受信品質の測定値が報告基準値を満たすと、ＰＤＭ情報および検出したＰＣＩを、インターフェースを用いて報告制御部１３に渡す。
【００２９】
報告制御部１３は、測定結果報告において検出されたＰＣＩの設定を開始する前に、検出されたＰＣＩが当該の移動端末１０のアクセス可能なＣＳＧセルであるかどうかを解析する機能を備えている。例えば、報告制御部１３は、検出されたＰＣＩのリストを取得したときに、ＰＤＭ情報のエントリで検査することにより、それらの検出されたＰＣＩがアクセス可能なＣＳＧセルのものであるかどうかを判定する。検出されたＰＣＩとＰＤＭ情報のエントリのいずれかとの間に同じＰＣＩ値があると判定されれば、移動端末１０は、このＰＣＩをＣＧＩ情報とともに報告メッセージに含める。ここでは、この制御部が、本発明の測定結果報告作成手段に相当する。
【００３０】
図４は、本実施の形態のｅＮＢの構成の一例を示すブロック図である。図４に示すように、ｅＮＢ２０は、移動制御部２１と、ＰＤＭ情報管理部２２を備えている。移動制御部２１は、移動端末１０とｅＮＢ２０との間のすべてのハンドオーバに関する信号通信を処理する機能を有している。移動制御部２１は、ＭＭＥ１で生成されたＰＤＭ情報を受信する。したがって、この移動制御部２１は、本発明の配置マップ情報受信手段に相当するともいえる。
【００３１】
ＰＤＭ情報管理部２２は、ＰＤＭ情報を処理する機能を備えている。ＰＤＭ情報管理部２２は、ＭＭＥ１から提供されるＰＤＭ情報を記憶するＰＤＭ情報記憶部２３を備えている。また、ＰＤＭ情報は、インターフェースを介してＰＤＭ情報を移動制御部２１に渡す。次いで、移動制御部２１は、このＰＤＭ情報を移動端末１０に転送する。
【００３２】
また、ｅＮＢ２０は、マクロセル内に同一のＩＤ情報を有する複数のＣＳＧセルが配置されている場合に、ＰＤＭ情報に基づいて、移動端末１０から受信した測定結果報告に含まれるＣＳＧセルがアクセス許可されているか否かを判定する判定部２４を備えてもよい。このような判定部２４を備えることにより、ｅＮＢ２０がハンドオーバ（マクロセルからＣＳＧセルへのインバウンドハンドオーバ）の決定を行うことができる。
【００３３】
図５は、本実施の形態のＨｅＮＢの構成の一例を示すブロック図である。図５に示すように、ＨｅＮＢ３０は、ｅＮＢ２０と同様の構成を有しており、移動制御部３１とＰＤＭ情報管理部３２を備えている。移動制御部３１は、移動端末１０とＨｅＮＢ３０との間のすべてのハンドオーバに関する信号通信を処理する機能を有している。移動制御部３１は、ＭＭＥ１で生成されたＰＤＭ情報を受信する。したがって、この移動制御部３１は、本発明の配置マップ情報受信手段に相当するともいえる。
【００３４】
ＰＤＭ情報管理部３２は、ＰＤＭ情報を処理する機能を備えている。ＰＤＭ情報管理部３２は、ＭＭＥ１から提供されるＰＤＭ情報を記憶するＰＤＭ情報記憶部３３を備えている。また、ＰＤＭ情報は、インターフェースを介してＰＤＭ情報を移動制御部３１に渡す。次いで、移動制御部３１は、このＰＤＭ情報を移動端末１０に転送する。
【００３５】
また、ＨｅＮＢ３０は、マクロセル内に同一のＩＤ情報を有する複数のＣＳＧセルが配置されている場合に、ＰＤＭ情報に基づいて、移動端末１０から受信した測定結果報告に含まれるＣＳＧセルがアクセス許可されているか否かを判定する判定部３４を備えてもよい。このような判定部３４を備えることにより、ＨｅＮＢ３０がハンドオーバ（ＣＳＧセルからＣＳＧセルへのインバウンドハンドオーバ）の決定を行うことができる。
【００３６】
以上のように構成された第１の実施の形態の移動通信システムについて、図面を参照してその動作を説明する。
【００３７】
まず、第１の実施の形態の移動通信システムでハンドオーバ制御が行われるときのシステム全体の動作について、図６のシーケンス図を用いて説明する。図６の例では、サービスセッションのセットアッププロセス中に、ｅＮＢ２０および移動端末１０がＰＣＩ配置マップ情報（ＰＤＭ情報）を取得する動作が図示されている。
【００３８】
図６に示すように、まず、移動端末１０は、ｅＮＢ２０にキャンプオンしているときに、ｅＮＢ２０にサービス要求を送信することによって、サービスセッションを開始する（Ｓ１）。このサービス要求を受信したｅＮＢ２０は、対応するＭＭＥ１を選択し、インターフェースを用いてそのＭＭＥ１にサービス要求を転送するが、このとき、ｅＮＢ２０は、サービス要求に自身のセル位置情報を添付する（Ｓ２）。セル位置情報には、例えばトラッキングエリア識別子（ＴＡＩ）などの領域情報（ＭＭＥ１が理解している領域情報）、および／または、ｅＮＢ２０の識別ＩＤ（ＥＣＧＩ）などが含まれる。
【００３９】
このサービス要求を受信したＭＭＥ１は、対応するサービス制御動作を実行する。これらの通常動作の後で、ＭＭＥ１はさらに、アクセス許可されたＣＳＧセルのリスト（ＨｅＮＢ３０のリスト）などの移動端末１０の加入情報や、現在サービスしているセルのＴＡＩなどの移動端末１０の現在位置に基づいて、移動端末１０の近傍の許可されたＨｅＮＢ３０を特定する（Ｓ３）。この場合、移動端末１０の現在位置は、サービス要求から取得することができる。ＨｅＮＢ３０のリストは、ＨｅＮＢ−ＧＷを介して（またはＨｅＮＢ−ＧＷを介さずに）ＨｅＮＢ３０から取得することができる。なお、ＨｅＮＢ３０のリストは、その他の基準、例えばＣＳＧセルとマクロセルの関係、予めＭＭＥ１に記憶された同じ位置にあるＴＡＩ情報、または規定のオペレータローミング合意などに基づいて作成することもできる。１つのＨｅＮＢ３０上に複数のＣＳＧセルが存在するときには、ＭＭＥ１は、ＨｅＮＢ３０の代わりに実際のＣＳＧセルを識別することもできる。
【００４０】
アクセス許可されたＨｅＮＢ３０のリスト（またはＣＳＧセルのＩＤのリスト）に基づいて、ＭＭＥ１は、特定された各ＨｅＮＢ３０にローカルＰＣＩマップ情報を要求することによって、ローカルＰＣＩマップ情報を取得する（Ｓ４）。例えば、ローカルＰＣＩマップ情報としては、選択されたＨｅＮＢ３０のＰＣＩや、ＨｅＮＢ３０の近傍のＣＳＧセルのＰＣＩなどが含まれる。なお、ＭＭＥ１に記憶した情報に基づいてローカルＰＣＩマップ情報のリストを作成することもできる。例えば、ＭＭＥ１がローカルＰＣＩマップ情報を予め取得し、記憶していてもよい。また、例えば、ＭＭＥ１は、移動端末１０のアクセス許可されたＣＳＧリストに載っている各ＣＳＧセルのＰＣＩを予め取得していてもよい。
【００４１】
ローカルＰＣＩマップ情報を取得すると、ＭＭＥ１は、ＰＣＩ配置マップ（ＰＤＭ）をコンパイルし、ＰＣＩ配置マップ情報（ＰＤＭ情報）を生成する（Ｓ５）。このＰＤＭ情報は、アクセス許可されたＣＳＧセルの物理セルＩＤ（ＰＣＩ）とそれらと関連するセルグローバルＩＤ（ＣＧＩ）のリスト（すなわちＰＣＩ／ＣＧＩマップ）を含む。例えば、代表的なＰＤＭ情報エントリとしては、以下のような情報がある。
ＰＣＩ−１  ＰＤＭ−１：：＝［ＣＧＩ−１，
（optional）ＣＳＧ−ＩＤ−１，
（optional）ＨｅＮＢ−ＩＤ−１］；
ＰＣＩ−２  ＰＤＭ−２：：＝［ＣＧＩ−２，
（optional）ＣＳＧ−ＩＤ−２，
（optional）ＨｅＮＢ−ＩＤ−２］；
ＰＣＩ−３  ＰＤＭ−３：：＝［ＣＧＩ−３，
（optional）ＣＳＧ−ＩＤ−３，
（optional）ＨｅＮＢ−ＩＤ−３］；
【００４２】
例えば、移動端末１０が測定報告においてＰＣＩ−２、ＰＣＩ−４およびＰＣＩ−９を報告し、ｅＮＢ２０がＰＣＩ−２のセルがより良好な無線品質を有していると確認した場合には、ｅＮＢ２０はハンドオーバの準備のためにＰＤＭ情報のエントリを確認することになる。上の例では、ｅＮＢ２０は、ＰＣＩ−２のＰＤＭ情報エントリを突き止める。この場合、ｅＮＢ２０はＰＤＭ−２を利用してＰＣＩ−２をＣＧＩ−２にマッピングすることができ、ハンドオーバの準備のために例えばＣＳＧ−ＩＤ−２、ＨｅＮＢ−ＩＤ−２など、その他の必要な情報を得ることもできる。これらの情報を取得した後で、ｅＮＢ２０は、通常のハンドオーバ動作を開始することになる。
【００４３】
なお、ＭＭＥ１は、様々なステージで収集した情報に基づいてＰＤＭ情報を作成することができる。また、各ＨｅＮＢ３０は、ＨｅＮＢ−ＧＷに登録するためには、そのＨｅＮＢ−ＩＤを提供する必要がある。したがって、ＨｅＮＢ−ＧＷは、それがカバーするトラッキングエリア内のＨｅＮＢ３０のＨｅＮＢ−ＩＤのリストをコンパイルすることができる。ＨｅＮＢ−ＧＷが存在しない場合には、ＭＭＥ１がＨｅＮＢ−ＩＤのリストを有することになる。
【００４４】
また、ＭＭＥ１は、例えばサービス要求を受信した後などにＰＤＭ情報を生成する必要がある場合には、移動端末１０の現在のセルと同じトラッキングエリアにサービスしているＨｅＮＢ３０のみを識別することによって、選択したＨｅＮＢ３０を絞り込む。ＭＭＥ１は、移動端末１０のアクセス許可されたＣＳＧリストおよびその現在キャンプオンしているセルのＴＡＩを、そのエリアをカバーしている対応するＨｅＮＢ−ＧＷに送信することによって、このＨｅＮＢ３０のリストを取得することができる。ＨｅＮＢ−ＧＷは、許可されたＣＳＧリストによって特定された、ＴＡＩのトラッキングエリアにサービスしているＣＳＧ−ＩＤのＨｅＮＢ３０を突き止めて、そのリストをＭＭＥ１に返送する（Ｓ３）。
【００４５】
ＨｅＮＢ−ＧＷが存在しない場合には、例えばＨｅＮＢ３０のＩＤやそれらの位置、ＨｅＮＢ３０がカバーするトラッキングエリアなど、ＨｅＮＢ−ＧＷで入手できる情報に関する知識は、ＭＭＥ１が有することになる。その場合には、ＭＭＥ１は、絞り込んだＨｅＮＢ−ＩＤのリストを直接生成することができる。
【００４６】
また、ＨｅＮＢ−ＩＤのリストを取得した後、ＭＭＥ１は、ＰＤＭ情報を生成するためのさらなる情報を取得することができる。例えば、そうした情報としては、これらのＨｅＮＢ３０が現在使用しているＰＣＩ、ＣＧＩ、これらのＨｅＮＢ３０がその近傍で認識したＰＣＩなどがある。ＭＭＥ１は、ＨｅＮＢ３０に直接コンタクトすることによって、これらの情報を取得することができる（Ｓ４）。ＭＭＥ１は、例えばＨｅＮＢ管理インターフェースなどその他のインターフェースを介してそれらの情報を取得することもでき、あるいは、ＨｅＮＢ３０の何らかの管理データベースからそれらの情報を取得することもできる。
【００４７】
ＭＭＥ１は、例えば、初期コンテキストセットアップ要求メッセージとともに、ＰＤＭ情報をｅＮＢ２０に送信する（Ｓ６）。初期コンテキストセットアップ要求を受信したｅＮＢ２０は、ＰＤＭ情報を記憶し、移動端末１０に対する無線ベアラ確立を開始する。この無線ベアラ確立メッセージは、ＲＲＣ接続再設定メッセージであってもよい。ｅＮＢ２０は、例えば、移動端末１０に送る無線ベアラ確立メッセージにＰＤＭ情報を埋め込む（Ｓ７）。
【００４８】
無線ベアラ確立メッセージを受信した移動端末１０は、後の使用に備えてＰＤＭ情報を記憶し、無線ベアラ確立のために必要な任意の動作に進む。例えば、ＲＲＣ接続再設定完了メッセージをｅＮＢ２０に送信する。その後、測定した隣接セルの受信品質が基準値を満たしたとき、移動端末１０は、測定したセルをネットワークに報告する。このとき、移動端末１０は、ＰＣＩに対応するＣＧＩ情報をＰＤＭ情報に含めることもできる（Ｓ８）。
【００４９】
例えば、移動端末１０は、ＰＣＩ−１およびＰＣＩ−２とともに、ＣＧＩ−１およびＣＧＩ−２を報告することもできる。ＣＧＩ情報は、ＰＤＭ情報の対応するＰＣＩエントリのＰＤＭから取得される。移動端末１０は、追加の情報を搬送するいくつかの拡張情報とともに、測定結果報告を介してｅＮＢ２０にＣＧＩ情報を送信する。これにより、ｅＮＢ２０は、第１の報告メッセージを用いて、移動端末１０から報告されたＰＣＩに対応するＣＧＩを知ることができる。したがって、ｅＮＢ２０は、それ以上の遅延なく、アクセス可能なＣＳＧセルへのインバウンドハンドオーバの実行を決定することができ、例えば、ＣＧＩ情報を取得するための移動端末１０からの第２の測定結果報告は不要となる。
【００５０】
なお、移動端末１０が、測定報告にＣＧＩを含めずにＰＣＩのみを報告してもよいことは、当業者には明らかである。その場合には、ｅＮＢ２０は、記憶したＰＤＭ情報を利用して、ＰＣＩを対応するＣＧＩにマッピングする必要がある。このプロセスには、移動端末１０のサービス要求手続きに規定される動作など、その他の動作も関係していることは明らかであるが、ここでは説明を省略する。
【００５１】
なお、上記の説明では、移動端末１０がトリガしたサービス要求手続きを用いて、ＰＤＭ情報を生成し、移動端末１０に送る方法を説明した。現実の実施態様では、移動端末１０から送信されたトラッキングエリア更新（ＴＡＵ）メッセージに「アクティブ」フラグが設定されている場合に、ＴＡＵプロセス中にＰＤＭ情報の生成を行うこともできる。例えば、ＴＡＩの変更によって、ＭＭＥ１が移動端末１０のＰＤＭ情報を更新することもある。
【００５２】
また、ＰＤＭ情報は、移動端末１０にサービスしているセルに固有でなくてもよい。例えば、会社のオフィスや学校の校舎の中など、移動端末１０が、いくつかの許可されたＣＳＧセルに囲まれている場合もある。したがって、ハンドオーバ動作が起きたときに、近傍のセルの位置によって決まるＰＤＭ情報を更新し、必要であれば移動端末１０および対応する新しいｅＮＢ２０／ＨｅＮＢ３０に送信することもできる。この更新プロセスは、ハンドオーバ元のｅＮＢ２０／ＨｅＮＢ３０から送信されるハンドオーバコマンドメッセージによってトリガすることができ、ＰＤＭ情報を更新して、ハンドオーバコマンドメッセージに含めて移動端末１０に送ることができる。ハンドオーバ先のｅＮＢ２０／ＨｅＮＢ３０は、ハンドオーバ要求メッセージの一部として、ＰＤＭ情報を受信することになる。
【００５３】
また、ｅＮＢ２０は、ＰＤＭ情報がネットワークによって更新されたときに、新しいＰＤＭ情報で移動端末１０をリフレッシュすることができる。これは、例えば測定設定など、ＲＲＣ接続再設定メッセージを用いて実行することができる。
【００５４】
つぎに、第１の実施の形態の移動通信システムでハンドオーバ制御が行われるときのＭＭＥ１の動作を、図７のフロー図を参照して説明する。図７に示すように、この場合には、まず、ＣＳＧリスト管理部４が、移動管理部２から移動端末１０の位置の変更を通知される（Ｓ１０）。
【００５５】
移動端末１０の位置の変更を知らされると、ＣＳＧリスト管理部４は、移動端末１０のアクセス許可されたＣＳＧリストが空であるかどうかを確認する（Ｓ１１）。リストが空でない場合には、ＣＳＧリスト管理部４は、ＨｅＮＢ管理部３に通知して、ＨｅＮＢ−ＩＤのリストをコンパイルし、新しいサービングセルのＨｅＮＢ−ＩＤを取得する（Ｓ１２）。このとき、ＨｅＮＢ管理部３は、ＨｅＮＢ−ＧＷをトリガして、ＨｅＮＢ−ＩＤのリストをコンパイルする。ＨｅＮＢ−ＧＷが存在しない場合には、ＭＭＥ１自身の持つ情報から、または何らかのＨｅＮＢ管理エンティティから、このリストを得る。
【００５６】
選択されたＨｅＮＢ−ＩＤはローカルＰＣＩ管理部５に提供され、ローカルＰＣＩマップ手続きを実行するために使用される。ローカルＰＣＩ管理部５は、選択されたＨｅＮＢ３０にコンタクトして、ローカルＰＣＩマップ情報を取得し（Ｓ１３）、この情報をＭＭＥ１に提供する。選択されたＨｅＮＢ３０のローカルＰＣＩマップ情報が予め記憶されており、かつ移動端末１０に対して依然として有効である場合、例えば選択されたＨｅＮＢ３０の位置に変更がない場合には、この選択されたＨｅＮＢ３０のローカルＰＣＩマップ情報をＭＭＥ１から取得することもできる。ローカルＰＣＩマップ情報を取得したら、ローカルＰＣＩ管理部５は、この情報をＰＣＩ配置マッピング部６に提供する。
【００５７】
つぎに、ＰＣＩ配置マッピング部６は、選択されたＨｅＮＢ−ＩＤをＨｅＮＢ管理部３から取得し、選択されたＨｅＮＢ−ＩＤおよび選択されたＨｅＮＢ３０のローカルＰＣＩマップ情報に基づいて、ＰＣＩ／ＣＧＩマッピング情報を含んだＰＤＭ情報を生成する（Ｓ１４）。そして、ＰＣＩ配置マッピング部６は、ＰＤＭ情報を移動管理部２に送り、移動管理部２は、Ｓ１ＡＰメッセージを用いてこのＰＤＭ情報をｅＮＢ２０に送信する（Ｓ１５）。
【００５８】
なお、ＰＣＩ配置マッピング部６がＰＤＭ情報を生成する際に、例えば移動端末１０の位置、以前に滞在したセルの情報、ＨｅＮＢ３０間の関係、ＨｅＮＢ３０とｅＮＢ２０の関係、システムのロード状態、システムにアクセスするコストなど、その他の情報も考慮に入れてもよいことは、言うまでもない。
【００５９】
つぎに、第１の実施の形態の移動通信システムでハンドオーバ制御が行われるときの移動端末１０の動作を、図８のフロー図を参照して説明する。図８に示すように、まず、ＰＤＭ制御部１１は、ＲＲＣ接続再設定メッセージを受信することによって、このＲＲＣ接続再設定メッセージとともに送られたＰＤＭ情報を記憶する（Ｓ２０）。
【００６０】
つぎに、移動端末１０は、受信品質測定プロセスを開始して、より良好な無線状態を有する近傍のセルを探索する（Ｓ２１）。近傍のセルの監視中に、移動端末１０は、当該セルの受信品質が報告基準値を満たしているかどうかを確認する（Ｓ２２）。報告基準値を満たしていない場合には、引き続きその他の近傍のセルを探索する。報告基準値が満たされたら、移動端末１０は、ＰＤＭ情報のエントリに同じ値を有するＰＣＩがあるかどうかを確認する（Ｓ２３）。
【００６１】
ＰＤＭ情報の中に、検出されたＰＣＩと同じ値を有するＰＣＩがある場合には、移動端末１０は、そのＰＣＩをそのＰＣＩのＣＧＩ値と関連付けられた報告ＰＣＩとして、報告メッセージに含める（Ｓ２４）。このようにして、ＰＣＩとＣＧＩを含んだ測定結果報告が作成されると（Ｓ２５）、移動端末１０は、測定結果報告を介してこの報告メッセージをｅＮＢ２０に送信する（Ｓ２６）。
【００６２】
一方、ＰＤＭ情報の中に同じＰＣＩ値が見つからない場合には、移動端末１０は、検出したＰＣＩのみを含んだ測定結果報告を作成し（Ｓ２５）、移動端末１０は、この測定結果報告をｅＮＢ２０に伝送する（Ｓ２６）。
【００６３】
このような本発明の第１の実施の形態の移動通信システムによれば、さらなる遅延を加えることなく、適切なハンドオーバ制御を行うことができる。本実施の形態では、セルＩＤ配置マッピング方式が導入される。この場合、測定報告から現在の移動端末１０のキャンプオンしているセル情報が生成され、ＭＭＥ１に記憶された移動端末１０の利用可能なＣＳＧのＰＣＩからＰＣＩ配置マップ情報（ＰＤＭ情報）のリストが生成される。ＰＤＭ情報は、移動端末１０のＰＣＩ／ＣＧＩマッピング情報を少なくとも含んでいる。セルＩＤ配置マッピング方式でＰＤＭ情報を生成するためには、移動端末１０側およびコアネットワーク側から入力パラメータを受信する必要がある。セルＩＤ配置マッピング方式は、コアネットワークエンティティ（すなわちＭＭＥ１）やＨｅＮＢ−ＧＷで使用される。ＭＭＥ１（またはＨｅＮＢ−ＧＷ）でＰＤＭ情報が生成されると、ＭＭＥ１（またはＨｅＮＢ−ＧＷ）は、ｅＮＢ２０及び端末個別のダウンリンク信号を用いて、このＰＤＭ情報を移動端末１０およびｅＮＢ２０（またはＨｅＮＢ３０）に提供する。端末装置は、このＰＤＭ情報を利用して適切なハンドオーバ制御を行うことができる。なお、ｅＮＢ２０（またはＨｅＮＢ３０）が、このＰＤＭ情報を利用して、移動端末１０から報告されたＰＣＩに基づいてハンドオーバ制御を行うこともできる。その場合、ＰＣＩ／ＣＧＩマッピング情報を含むＰＤＭ情報を用いれば、移動端末１０から第１の測定結果報告で送信されたＰＣＩだけで、ｅＮＢ２０（またはＨｅＮＢ３０）は適切なハンドオーバ制御を十分に行うことができる。したがって、その場合にも、第２の測定報告が必要になることによる遅延は解消される。
【００６４】
本実施の形態の移動通信システムは、マクロセル基地局（ｅＮＢ２０）から小セル基地局（ＨｅＮＢ３０）への端末装置（移動端末１０）のハンドオーバ制御が上位装置（ＭＭＥ１／ＨｅＮＢ−ＧＷ）を介して行われる移動通信システムであって、上位装置は、端末装置がキャンプオンしているマクロセル基地局または小セル基地局から、端末装置の周辺に存在する小セル（ＣＳＧセル）の識別情報（ＩＤ情報）を含むセル位置情報を受信するセル位置情報受信手段と、受信したセル位置情報に基づいて、端末装置の周辺に存在する小セルであって端末装置がアクセス許可された小セルを、小セルの識別情報を用いて特定する小セル特定手段と、特定した小セルの小セル基地局から、特定した小セルの物理セルＩＤ（ＰＣＩ）と特定した小セルの周辺に存在する小セルの物理セルＩＤを含むローカルマップ情報を取得するローカルマップ情報取得手段と、取得したローカルマップ情報に基づいて、アクセス許可された小セルの物理セルＩＤ（ＰＣＩ）と固有セルＩＤ（ＣＧＩ）との対応関係を示す情報（ＰＣＩ／ＣＧＩマップ情報）を少なくとも含む物理セルＩＤ配置マップ情報（ＰＣＩ配置マップ情報）を生成する配置マップ情報生成手段と、を備え、端末装置は、上位装置で生成された物理セルＩＤ配置マップ情報を、上位装置から受信する配置マップ情報受信手段と、端末装置の周辺の小セルへのハンドオーバ制御のために小セルでの受信品質を測定する要求を上位装置を介して受信したときに、物理セルＩＤ配置マップ情報を用いて、受信品質の測定結果報告を作成する測定結果報告作成手段と、を備えた構成を有している。
【００６５】
この構成により、上位装置では、ＰＣＩ／ＣＧＩマップ情報を含んだＰＣＩ配置マップ情報（ＰＤＭ情報）が生成され、端末装置では、このＰＣＩ配置マップ情報（に含まれるＰＣＩ／ＣＧＩマップ情報）を用いて、端末装置の周辺の小セルへのハンドオーバ制御が行われるときの測定結果報告が作成される。例えば、端末装置は、第１の測定結果報告にＰＣＩだけでなくＣＧＩを含めることができる。これにより、マクロセル内に同一のＰＣＩを有する小セルが複数存在する場合であっても、アクセス可能な小セルをＣＧＩによって特定することができる。したがって、アクセス不可能な小セルへのハンドオーバ制御が行われてサービスが中断してしまうのを防止することができる。また、ＣＧＩを通知するために従来必要とされていた第２の測定結果報告が不要となり、その分だけハンドオーバ制御のための待ち時間を短縮することが可能になる。
【００６６】
また、本実施の形態では、端末装置が、上位装置から受信した物理セルＩＤ配置マップ情報を記憶する配置マップ情報記憶手段を備えた構成を有している。
【００６７】
この構成により、端末装置は、事前に記憶しておいたＰＣＩ配置マップ情報を用いて、端末装置の周辺の小セルへのハンドオーバ制御が行われるときの測定結果報告を作成することができる。
【００６８】
（第２の実施の形態）
次に、本発明の第２の実施の形態の移動通信システムについて説明する。ここでは、第２の実施の形態の移動通信システムが、第１の実施の形態と相違する点を中心に説明する。したがって、ここで特に言及しない限り、本実施の形態の構成および動作は、第１の実施の形態と同様である。
【００６９】
第１の実施の形態では、移動端末（ＭＴ）は、ＰＤＭ情報に同じＰＣＩ値が見つかったときに、単純にＰＣＩおよびＣＧＩを報告するだけである。しかし、第２の実施の形態のシステムでは、同じマクロセル内で、相互の干渉を引き起こすことなく、別個のＨｅＮＢに同じＰＣＩ値を与えることができる。すなわち、本実施の形態では、同じＰＣＩ値を有する別個のＨｅＮＢが、同一マクロセル内で互いに遠隔に位置するシナリオにも対応することができる。
【００７０】
例えば、図９に示すように、マクロセル内の二つのＣＳＧセルが、同じＰＣＩ値（ＰＣＩ−３）を取りながら、互いに遠隔に位置しているような場合には、移動端末（ＭＴ）で検出されたＰＣＩは、ＰＤＭ情報に含まれているが、現実には移動端末がアクセスできないＣＳＧセルのものである可能性もある（すなわち、ＰＣＩコリジョンが生じる可能性がある）。以下説明するように、本実施の形態では、このようなＰＣＩコリジョンに対応することが可能である。
【００７１】
まず、図面を参照して、本実施の形態の移動通信システムの各部の構成を説明する。図１０は、本実施の形態のＭＭＥ１の構成を示すブロック図である。図１０に示すように、ＭＭＥ１は、移動管理部２と、ＨｅＮＢ管理部３と、ＣＳＧリスト管理部４と、ローカルＰＣＩ管理部５と、ＰＣＩ配置マッピング部６とを備えている。本実施の形態のＰＣＩ配置マッピング部６は、ローカルＰＣＩマップ情報から、ブラックリストＰＣＩマップ（ＢＩＰＭ）情報を決定することもできる。このＢＩＰＭ情報は、ＰＣＩ／ＣＧＩマップ情報とともに、ＰＤＭ情報に含まれる。
【００７２】
上記のように、ＰＤＭ情報は、ｅＮＢ２０および移動端末１０がＣＳＧセルへのインバウンドハンドオーバを実行するために使用することができるブラックリストＰＣＩマップ（ＢＩＰＭ）情報も含んでいる。例えば、移動端末１０から報告されたＰＣＩを用いて、ｅＮＢ２０は、対応するＢＩＰＭエントリに含まれるＰＣＩに該当するかどうかによって、報告されたＰＣＩが、ＰＤＭ情報によってＣＧＩにマッピング可能かどうかを判定することができる。この場合、代表的なＰＤＭ情報エントリとしては、以下のような情報がある。
ＰＣＩ−１  ＰＤＭ−１：：＝［ＣＧＩ−１，
（optional）ＣＳＧ−ＩＤ−１，
（optional）ＨｅＮＢ−ＩＤ−１］；
ＢＩＰＭ−１：：＝［ＰＣＩ−４，ＰＣＩ−５，ＰＣＩ−６］；
ＰＣＩ−２  ＰＤＭ−２：：＝［ＣＧＩ−２，
（optional）ＣＳＧ−ＩＤ−２，
（optional）ＨｅＮＢ−ＩＤ−２］；
ＢＩＰＭ−２：：＝［ＰＣＩ−６，ＰＣＩ−７，ＰＣＩ−８］；
ＰＣＩ−３  ＰＤＭ−３：：＝［ＣＧＩ−３，
（optional）ＣＳＧ−ＩＤ−３，
（optional）ＨｅＮＢ−ＩＤ−３］；
ＢＩＰＭ−３：：＝［ＰＣＩ−９，ＰＣＩ−１０，ＰＣＩ−１１］；
【００７３】
例えば、移動端末１０が測定報告においてＰＣＩ−２、ＰＣＩ−４およびＰＣＩ−９を報告し、ｅＮＢ２０がＰＣＩ−２のセルがより良好な無線品質を有していると確認した場合には、ｅＮＢ２０はハンドオーバの準備のためにＰＤＭ情報のエントリを確認することになる。上記の例では、ｅＮＢ２０は、ＰＣＩ−２のＰＤＭ情報エントリを突き止め、報告されたＰＣＩ、すなわちＰＣＩ−４、ＰＣＩ−９がＰＣＩ−２と関連するＢＩＰＭ−２に該当するかどうかを確認する。この場合、報告されたＰＣＩがＢＩＰＭ−２内に存在しないので、ｅＮＢ２０はＰＤＭ−２を利用してＰＣＩ−２をＣＧＩ−２にマッピングすることができ、ハンドオーバの準備のために例えばＣＳＧ−ＩＤ−２、ＨｅＮＢ−ＩＤ−２など、その他の必要な情報を得ることもできる。これらの情報を取得した後で、ｅＮＢ２０は、通常のハンドオーバ動作を開始することになる。
【００７４】
ＰＤＭ情報を生成するためには、ＭＭＥ１は、例えばＨｅＮＢ３０間の位置関係や、ＰＣＩ関係など、すべての情報を統合する必要がある。例えば、ＭＭＥ１が２つのＨｅＮＢ３０が遠隔にあることを認めた場合、一方のＨｅＮＢ３０の隣接ＣＳＧセルのＰＣＩは、もう一方のＨｅＮＢ３０に接続した移動端末１０には分からない。この場合、ＭＭＥ１は、それぞれのＨｅＮＢ３０の隣接ＣＳＧセルついて、HｅＮＢ−GWあるいはＨｅＮＢ３０から収集した位置情報をもとに、容易にＢＩＰＭをコンパイルすることができる。
【００７５】
図１１は、本実施の形態の移動端末１０の構成を示すブロック図である。図１１に示すように、移動端末１０は、ＰＤＭ制御部１１と、測定制御部１２と、報告制御部１３と、判定部１５と、フィンガープリント検証部１６を備えている。
【００７６】
ＰＤＭ制御部１１は、ＰＤＭ情報を記憶するためのＰＤＭ情報記憶部１４を備えており、このＰＤＭ情報記憶部１４には、ＰＣＩ／ＣＧＩマッピング情報と、ブラックリストＰＣＩマップ（ＢＩＰＭ）情報が記憶される。
【００７７】
測定制御部１２は、例えば、移動端末１０が受信品質測定を実行するときには、ＰＤＭ情報に含まれるＰＣＩに対応するセルに受信品質測定の優先順位をつけることができる測定頻度制御部１７を備えている。測定頻度制御部１７は、例えば、ＰＤＭ情報に含まれるＰＣＩに対応するセルの測定頻度を、他のセルよりも多くするような制御を行う。また、この測定頻度制御部１７は、判定部１５（後述する）によって、ＣＳＧセルのＩＤ情報を用いて特定されたＣＳＧセルがアクセス許可されていないと判定されたときに、判定されたＣＳＧセルの受信品質の測定頻度を下げるように制御する。
【００７８】
判定部１５は、マクロセル内に同一のＩＤ情報を有する複数のＣＳＧセルが配置されている場合に、ＰＣＩ配置マップ情報（に含まれるブラックリストＰＣＩマップ情報）に基づいて、ＣＳＧセルのＩＤ情報を用いて特定されたＣＳＧセルがアクセス許可されているか否かを判定する機能を備えている。
【００７９】
報告制御部１３は、この判定部１５によって、ＣＳＧセルのＩＤ情報を用いて特定されたＣＳＧセルがアクセス許可されていないと判定されたときに、判定されたＣＳＧセルについてのエラー報告をＭＭＥ１に送信するエラー報告部１８を備えている。また、この報告制御部１３は、判定部１５によって、ＣＳＧセルのＩＤ情報を用いて特定されたＣＳＧセルがアクセス許可されていないと判定されたときに、判定されたＣＳＧセルの周囲に存在するＣＳＧセルであってＰＣＩ配置マップ情報に含まれるＣＳＧセルについては、測定結果報告をＭＭＥ１に送信するときの優先度を上げるように制御する報告優先度制御部１９を備えている。
【００８０】
フィンガープリント検証部１６は、以前にアクセスした前記小セルの物理セルＩＤの情報を含むフィンガープリント情報を、判定部１５の判定結果に基づいて検証する機能を備えている。移動端末１０は、以前にキャンプオンしたＣＳＧセルの位置情報とそのセルのＰＣＩ及びＣＧＩをフィンガープリント情報として記憶しておき、フィンガープリント情報として記憶されたＰＣＩと同一のＰＣＩを持つＣＳＧセルを検出した場合に、ＰＣＩと共に記憶された位置情報をもとに、以前にキャンプオンしたＣＳＧセルと同一のＣＳＧセルかどうかを判定する機能を備えてもよい。なお、このフィンガープリント情報としては、移動端末１０にとってアクセスできるＣＳＧセルの情報のみが記憶されている。
【００８１】
フィンガープリント検証部１６は、ブラックリストＰＣＩマップ（ＢＩＰＭ）情報を用いて、フィンガープリント情報として記憶されたＰＣＩが依然として有効であることを保証することができる機能を有している。例えば、記憶されたフィンガープリント情報のＰＣＩが、ブラックリストＰＣＩマップ（ＢＩＰＭ）情報によってアクセスできないＣＳＧセルと判定されるＰＣＩであるということが、移動端末１０によって検出された隣接ＣＳＧセルのＰＣＩによってわかれば、それはすなわち、フィンガープリント情報の中のＰＣＩの情報が無効であることを暗に示している。したがって、そのような場合、移動端末１０は、そのフィンガープリント情報を更新する、またはこれらのＰＣＩのフィンガープリント情報を完全に無視する。そうでない場合には、移動端末１０は、フィンガープリント情報の中のＰＣＩの情報が依然として有効であると考えることができる。その場合（フィンガープリント情報が有効である場合）、移動端末１０は、ＣＧＩ情報をネットワークへの受信品質報告メッセージに含めることができる。
【００８２】
以上のように構成された第２の実施の形態の移動通信システムについて、図面を参照してその動作を説明する。
【００８３】
図１２は、第２の実施の形態の移動通信システムでＰＤＭ情報を利用するときのシーケンス図である。図１２に示すように、まず、ｅＮＢ２０から移動端末１０に、ＰＤＭ情報を含んだＲＲＣ接続再接続メッセージが送信される（Ｓ３０）。ＰＤＭ情報を受信した後、移動端末１０は、ＰＤＭ情報に含まれるブラックリストＰＣＩマップ（ＢＩＰＭ）情報を利用して追加の確認手続きを実行する。ブラックリストＰＣＩマップ（ＢＩＰＭ）情報は、移動端末１０が特定のＰＣＩを有するセルにキャンプオンしたときに検出しない隣接セルのＰＣＩのリストを含んでいる。したがって、これらの隣接ＰＣＩが検出される場合は、特定のＰＣＩを有するセルは移動端末１０にとってアクセスできないＣＳＧセルであることを意味する。
【００８４】
検出されたＰＣＩがＰＤＭ情報に含まれ、かつＢＩＰＭによって、移動端末１０にとってアクセスできないＣＳＧセルと判定された場合には、移動端末１０は、検出されたＰＣＩが、同一マクロセル内の他のＣＳＧセルにも使われている（ＰＣＩコリジョン）とみなす。このようにして、検出されたＰＣＩにエラーが見つかったときには（Ｓ３１）、移動端末１０は、関連するＰＣＩとともにＰＣＩコリジョンを示す情報をｅＮＢ２０に報告することができる。
【００８５】
移動端末１０は、コリジョンしているＰＣＩのＣＧＩは、受信品質報告メッセージに含めない。その代わりに、移動端末１０は、受信品質報告メッセージを修正し（Ｓ３２）、ＰＣＩエラー通知を受信品質報告メッセージに含めてｅＮＢ２０に送信する（Ｓ３３）。
【００８６】
ＰＣＩエラー通知の方法として、例えば、移動端末１０は、検出したＰＣＩと共に、ＰＣＩコリジョンを示すエラー「フラグ」を報告メッセージに含める。または、検出されたＰＣＩが移動端末１０にとってアクセスできないＣＳＧセルであることを示すために、他に検出した隣接ＣＳＧセルのＰＣＩのうち、ＢＩＰＭ情報に含まれるＰＣＩを、検出したコリジョンしているＰＣＩと共に報告メッセージに含めてもよい。
【００８７】
このとき、測定したセルは通常、受信品質の高い順にランキングされ、報告メッセージに含められるが、報告できるセルの最大数を超えるＣＳＧセルが、報告メッセージに含めるセルの受信品質測定基準値を超えている場合に、通常のランキング順序とは無関係に、ＢＩＰＭに含まれるＰＣＩの報告が優先されるように、ランキング順序に優先順位をつけることができる。
【００８８】
例えば、あるＣＳＧセルＡのＰＣＩが、他のＣＳＧセルＢのＰＣＩのブラックリストＰＣＩマップ（ＢＩＰＭ）に含まれるとする。移動端末１０が両方のＣＳＧセルを検出しているが、報告メッセージに含めることの出来るセルの最大値を超えるセルが、報告のための受信品質測定基準値を超えており、かつＣＳＧセルＡが報告のランキングの下位に位置する場合には、通常であれば、ＣＳＧセルＢしか報告メッセージに含めることを許可されない。このような場合に、移動端末１０は、ＣＳＧセルＢと同じ報告メッセージにおいてＣＳＧセルＡの報告を優先させることができる。これにより、ｅＮＢ２０は、報告メッセージにエラーがあること（すなわち、特定のＰＣＩのＢＩＰＭが当該のＰＣＩと同じ報告メッセージ中に存在すること）を、知ることができる。
【００８９】
ネットワークが報告エラーの通知を受信したとき、考えられる１つの方法は、ｅＮＢ２０が、ＭＭＥ１にその通知を送信することによってＰＤＭ情報の更新手続きを実行することである（Ｓ３４）。ＰＤＭ情報の更新が完了すると、ｅＮＢ２０は、その更新されたＰＤＭ情報を、ＲＲＣ接続再設定メッセージを介して移動端末１０に提供する（Ｓ３５）。移動端末１０は、更新されたＰＤＭ情報に基づいて再び同じＰＣＩを検出した場合に、エラーがなければ、報告メッセージをｅＮＢ２０に送信し、その中にＰＣＩおよびＣＧＩ情報を含めるようにする（Ｓ３６）。
【００９０】
なお、ＰＤＭ情報の更新は、考えられる方法の１つに過ぎず、これ以外にも様々な代替の方法がある。例えばｅＮＢ２０が第２の受信品質測定設定を移動端末１０に送信し、第1の受信品質測定結果報告で報告されたＰＣＩのＣＧＩ情報を検証させてもよい。または、ｅＮＢ２０が移動端末１０より報告されたＣＳＧセルのＰＣＩエラーを受信したら、次に受信品質の高いマクロセルへのハンドオーバを指示してもよい。
【００９１】
第２の実施の形態では、移動端末１０が受信品質測定結果の報告メッセージを構成する前に、ブラックリストＰＣＩマップ（ＢＩＰＭ）情報によるＰＣＩコリジョンエラーの検出を行うための追加の手続きが行われる点が特徴的であるので、以上で詳しく説明した。その他、第１の実施の形態と同様の特徴については、ここでは説明を省略する。
【００９２】
つぎに、第２の実施の形態の移動通信システムでハンドオーバ制御が行われるときのＭＭＥ１の動作を、図１３のフロー図を参照して説明する。ここでは、本実施の形態のＭＭＥ１の動作が、第１の実施の形態と相違する部分を中心に説明する。この場合、ＰＣＩ配置マッピング部６は、選択されたＨｅＮＢ−ＩＤおよび選択されたＨｅＮＢ３０のローカルＰＣＩマップ情報に基づいて、ＰＣＩ／ＣＧＩマッピング情報とブラックリストＰＣＩマップ（ＢＩＰＭ）情報を含んだＰＤＭ情報を生成する（Ｓ４０）。
【００９３】
つぎに、第２の実施の形態の移動通信システムでハンドオーバ制御が行われるときの移動端末１０の動作を、図１４のフロー図を参照して説明する。ここでは、本実施の形態の移動端末１０の動作が、第１の実施の形態と相違する部分を中心に説明する。
【００９４】
ＰＤＭ情報が、移動端末１０によって検出されたＰＣＩのエントリを含む場合には、移動端末１０は、さらにその他の検出されたＰＣＩのいずれかが、ＰＤＭ情報のＰＣＩエントリに対応するＢＩＰＭに含まれるかどうかをさらに確認する（Ｓ５０）。
【００９５】
検出されたＰＣＩがＢＩＰＭに存在する場合には、移動端末１０は、例えば受信品質報告メッセージにエラーフラグを含める、または、報告メッセージに含めるＰＣＩのランキング順序を変更するなどによって、ＰＣＩエラー通知手続きを実行する（Ｓ５１）。このエラー通知手続きは、この報告メッセージにエラーがあることをｅＮＢ２０に通知するためのものである。したがって、ｅＮＢ２０がエラー通知を受けた場合は、移動端末１０のハンドオーバを決定する前に、例えば第２の受信品質報告を用いた明示的なＣＧＩ報告など、該当ＰＣＩに関するさらに詳細な情報が必要である。
【００９６】
一方、検出されたＰＣＩがＢＩＰＭに存在しない場合には、移動端末１０は、検出されたＰＣＩに該当するＣＧＩをＰＤＭ情報から抽出し、ＰＣＩと共に報告メッセージに含めることができる。
【００９７】
なお、上述した以外のＢＩＰＭの使用方法として、あるＣＳＧセルのＰＣＩを検出したときに、該当ＰＣＩの隣接ＣＳＧセルのＰＣＩがＢＩＰＭに含まれており、該当ＰＣＩが移動端末１０にとってアクセスできないＣＳＧセルであると判定された場合、該当セルの受信品質の測定頻度を、他のセルよりも低くすることも考えられる。
【００９８】
また、受信品質測定プロセス（Ｓ２１）では、移動端末１０は、ＰＤＭ情報を用いて、ＰＤＭ情報に含まれるＰＣＩの測定に優先順位をつけることができる。
【００９９】
このような本発明の第２の実施の形態の移動通信システムによっても、第１の実施の形態と同様の作用効果が奏される。
【０１００】
本実施の形態では、ＰＤＭ情報が、移動端末１０がキャンプオンできないセルのリストであるブラックリストＰＣＩマップ（ＢＩＰＭ）情報をさらに含んでいる。移動端末１０は、測定結果報告をする前に、このＰＤＭ情報を利用してブラックリストＰＣＩマップ（ＢＩＰＭ）情報を検証することができる。本実施の形態では、ＩＤセル配置マッピング方式によってＰＤＭ情報が生成され、このＰＤＭ情報が移動端末１０（またはｅＮＢ２０、ＨｅＮＢ３０）に提供される。移動端末１０（またはｅＮＢ２０、ＨｅＮＢ３０）は、ＰＤＭ情報に基づいて、報告されたセルの位置が正確である（すなわちセルの位置が信頼できる）と保証することができる。したがって、ネットワークによりハンドオーバ先として選択されたセルへのインバウンドハンドオーバの際に、移動端末１０のサービスの中断および移動中の待ち時間を生じることがなくなる。
【０１０１】
本実施の形態の移動通信システムでは、配置マップ情報生成手段は、小セルの識別情報を用いて特定された小セルであって端末装置がアクセス許可されていない小セルの周辺に存在する小セルの物理セルＩＤの情報をさらに含む物理セルＩＤ配置マップ情報を生成するものであり、端末装置は、マクロセル内に同一の識別情報を有する複数の小セルが配置されている場合に、物理セルＩＤ配置マップ情報に基づいて、小セルの識別情報を用いて特定された小セルがアクセス許可されているか否かを判定する判定手段を備えた構成を有している。
【０１０２】
この構成により、上位装置では、ブラックリストＰＣＩマップ情報をさらに含んだＰＣＩ配置マップ情報が生成され、端末装置では、このＰＣＩ配置マップ情報（に含まれるブラックリストＰＣＩマップ情報）を用いて、小セルがアクセス許可されているか否かが判定される。例えば、マクロセル内に同一のＰＣＩを有する２つの小セルが存在する場合に、一方の小セルの周囲に存在する小セルのＰＣＩがブラックリストＰＣＩマップ情報に含まれており、他方の小セルの周囲に存在する小セルのＰＣＩがブラックリストＰＣＩマップ情報に含まれていないときには、一方の小セルがアクセス許可されておらず他方の小セルがアクセス許可されていることが分かる。このようにして、マクロセル内に同一のＰＣＩを有する小セルが複数存在する場合であっても、ＰＣＩコリジョンが発生するのを防ぐことができる。
【０１０３】
また、本実施の形態では、端末装置が、判定手段によって、小セルの識別情報を用いて特定された小セルがアクセス許可されていないと判定されたときに、判定された小セルについてのエラー報告を上位装置に送信するエラー報告手段を備えた構成を有している。
【０１０４】
この構成により、マクロセル内に同一のＰＣＩを有する小セルが複数存在する場合に、アクセス許可されていないと判定された小セルについてのエラー報告が、端末装置から上位装置に送信される。これにより、ＰＣＩコリジョンが発生しているのをシステムが把握することができる。
【０１０５】
また、本実施の形態では、判定手段によって、小セルの識別情報を用いて特定された小セルがアクセス許可されていないと判定されたときに、判定された小セルの周囲に存在する小セルであって物理セルＩＤ配置マップ情報に含まれる小セルについて、測定結果報告を上位装置に送信するときの優先度を上げるように制御する報告優先度制御手段を備えた構成を有している。
【０１０６】
この構成により、マクロセル内に同一のＰＣＩを有する小セルが複数存在する場合に、ある小セルがアクセス許可されていないと判定されたときには、その小セルの周囲に存在する小セルであってＰＣＩ配置マップ情報（ブラックリストＰＣＩマップ情報）に含まれている小セルの測定結果報告の優先度を上げる制御が行われる。これにより、測定結果報告を送信できる数にシステム上の上限（例えば、最大数：８）が設定されている場合であっても、その小セルがアクセス許可されているか否かの判断材料となる小セルの測定結果報告を優先して取得することができ、その小セルがアクセス許可されているか否かの判断をより的確に行うことが可能になる。
【０１０７】
また、本実施の形態では、端末装置が、以前にアクセスした小セルの物理セルＩＤの情報を含むフィンガープリント情報を、判定手段の判定結果に基づいて検証するフィンガープリント検証手段を備えた構成を有している。
【０１０８】
この構成により、ＰＣＩ配置マップ情報（ブラックリストＰＣＩマップ情報）を用いて小セルがアクセス許可されているか否かを判定した結果に基づいて、フィンガープリント情報の検証が行われる。これにより、例えば、フィンガープリント情報では「アクセス許可されている」とされていた小セルが、判定結果では「アクセス許可されていない」とされた場合には、フィンガープリント情報を古い内容「アクセス許可されている」から新しい内容「アクセス許可されていない」に更新することができる。
【０１０９】
また、本実施の形態では、端末装置が、判定手段によって、小セルの識別情報を用いて特定された小セルがアクセス許可されていないと判定されたときに、判定された小セルの受信品質の測定頻度を下げるように制御する測定頻度制御手段を備えた構成を有している。
【０１１０】
この構成により、マクロセル内に同一のＰＣＩを有する小セルが複数存在する場合に、アクセス許可されていないと判定された小セルについては、受信品質の測定頻度を下げる制御が行われる。これにより、無駄なシグナリングが行われるのを抑えることができ、不要なリソースが確保されるのを防ぐことができる。
【０１１１】
また、本実施の形態では、ＰＤＭ情報を端末に送信する方法として、他のシグナリングメカニズム（例えば、ＮＡＳシグナリング）を用いてもよいものとする。
【０１１２】
また、本実施の形態では、ＰＤＭ情報を上述した以外のサービス展開（例えば、機器間通信（Machine  to  machine  type  communication）やローカルＩＰアクセスなど）に用いてもよいものとする。この時、ＰＤＭ情報は、該当する端末がサーバへのシグナリング送信や特定のＰＤＮ（Packet  Data  Network：パケット・データ網）コネクション確立などのオペレーションを実行した方がよいかどうかを決定するために使用される。またこの時、ＰＤＭ情報は上述した以外の追加情報を含んでもよいものとする。
【０１１３】
以上、本発明の実施の形態を例示により説明したが、本発明の範囲はこれらに限定されるものではなく、請求項に記載された範囲内において目的に応じて変更・変形することが可能である。
【０１１４】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１１５】
以上のように、本発明にかかる移動通信システムは、アクセス不可能な小セルへのハンドオーバ制御が行われてサービスが中断してしまうのを抑制することができ、また、ハンドオーバ制御のための待ち時間を短縮することが可能になるという効果を有し、インバウンドハンドオーバを制御するシステム等として有用である。
【符号の説明】
【０１１６】
１  移動管理エンティティ（ＭＭＥ）
２  移動管理部
３  ＨｅＮＢ管理部
４  ＣＳＧリスト管理部
５  ローカルＰＣＩ管理部
６  ＰＣＩ配置マッピング部
１０  移動端末（ＭＴ）
１１  ＰＤＭ制御部
１２  測定制御部
１３  報告制御部
１４  ＰＤＭ情報記憶部
１５  判定部
１６  フィンガープリント検証部
１７  測定頻度制御部
１８  エラー報告部
１９  報告優先度制御部
２０  マクロセル基地局（ｅＮＢ）
２１  移動制御部
２２  ＰＤＭ情報管理部
２３  ＰＤＭ情報記憶部
２４  判定部
３０  ホーム基地局（ＨｅＮＢ）
３１  移動制御部
３２  ＰＤＭ情報管理部
３３  ＰＤＭ情報記憶部
３４  判定部
【図１】
2011004599.tif 000003
【図２】
2011004599.tif 000004
【図３】
2011004599.tif 000005
【図４】
2011004599.tif 000006
【図５】
2011004599.tif 000007
【図６】
2011004599.tif 000008
【図７】
2011004599.tif 000009
【図８】
2011004599.tif 000010
【図９】
2011004599.tif 000011
【図１０】
2011004599.tif 000012
【図１１】
2011004599.tif 000013
【図１２】
2011004599.tif 000014
【図１３】
2011004599.tif 000015
【図１４】
2011004599.tif 000016
【国際調査報告】
2011004599.tif 000017
2011004599.tif 000018